(57)【要約】【課題】スポーツ時、運搬時、介護される状態の時などに着用者の筋肉をサポートして運動能力や柔軟性を向上させることができる衣類を提供すること【解決手段】本発明に係る衣類１００は、上半身の少なくとも一部を被覆する上半身部１０と、上半身部１０に形成された上半身サポート部２０とを備えている。上半身サポート部２０は、大腰筋（９０１）の少なくとも一部に沿った箇所に位置する上半身第１サポート部２１と、棘上筋（９０３）に沿った箇所に位置する上半身第２サポート部２２と、大円筋（９０４）に沿った箇所に位置する上半身第３サポート部２３と含んでいる。【選択図】図８
2019112755.tif 000002
【特許請求の範囲】
【請求項１】
着用者の体を被覆する衣類であって、
上半身の少なくとも一部を被覆する上半身部と、
前記上半身部に形成された上半身サポート部と
を備え、
前記上半身サポート部は、
大腰筋の少なくとも一部に沿った箇所に位置する上半身第１サポート部と、
棘上筋に沿った箇所に位置する上半身第２サポート部と、
大円筋に沿った箇所に位置する上半身第３サポート部と
を含む、衣類。
【請求項２】
前記上半身サポート部は、さらに、追加の上半身サポート部を含んでおり、
前記追加の上半身サポート部は、みぞおちの箇所を基準にしながら左の肋骨の位置に向かって移動させた点を開始点とし、当該開始点から丹田の箇所に延びるように配置されているものである、請求項１に記載の衣類。
【請求項３】
前記上半身第１サポート部の幅、前記上半身第２サポート部の幅、および、前記上半身第３サポート部の幅は、それぞれ、５０ｍｍ以下である、請求項１または２に記載の衣類。
【請求項４】
前記上半身第１サポート部の幅、前記上半身第２サポート部の幅、および、前記上半身第３サポート部の幅は、それぞれ、１ｍｍ以上２５ｍｍ以下である、請求項３に記載の衣類。
【請求項５】
前記上半身第１サポート部、前記上半身第２サポート部、および、前記上半身第３サポート部は、それぞれ、左右対称の形状に配置されている、請求項１から４の何れか一つに記載の衣類。
【請求項６】
前記上半身サポート部は、前記上半身部の表面および裏面の少なくとも一方に貼られたテープ材料から構成されている、請求項１から５の何れか一つに記載の衣類。
【請求項７】
前記テープ材料は、一方の面に感熱性接着剤が付与された接着テープである、請求項６に記載の衣類。
【請求項８】
前記接着テープは、前記上半身部の前記裏面に加熱によって貼り付けられており、
さらに、前記接着テープは、糸で縫われて前記上半身部に固定されている、請求項７に記載の衣類。
【請求項９】
前記上半身サポート部は、前記上半身部を構成する素材と一体に構成されている、請求項１から５の何れか一つに記載の衣類。
【請求項１０】
前記上半身部は、Ｔシャツ形状を有する、請求項１から９の何れか一つに記載の衣類。
【請求項１１】
着用者の体を被覆する衣類であって、
下半身の少なくとも一部を被覆する下半身部と、
前記下半身部に形成された下半身サポート部と
を備え、
前記下半身サポート部は、
大腰筋の少なくとも一部に沿った箇所に位置する下半身第１サポート部と、
腸骨筋に沿った箇所に位置する下半身第２サポート部と、
梨状筋に沿った箇所に位置する下半身第３サポート部と
を含む、衣類。
【請求項１２】
前記下半身第１サポート部の幅、前記下半身第２サポート部の幅、および、前記下半身第３サポート部の幅は、それぞれ、５０ｍｍ以下である、請求項１１に記載の衣類。
【請求項１３】
前記下半身サポート部は、前記下半身部の表面および裏面の少なくとも一方に貼られたテープ材料から構成されている、請求項１１または１２に記載の衣類。
【請求項１４】
着用者の体を被覆する衣類であって、
上半身の少なくとも一部を被覆する上半身部と、
下半身の少なくとも一部を被覆する下半身部と
前記上半身部に形成された上半身サポート部と、
前記下半身部に形成された下半身サポート部と
を備え、
前記上半身サポート部は、
大腰筋の少なくとも一部に沿った箇所に位置する上半身第１サポート部と、
棘上筋に沿った箇所に位置する上半身第２サポート部と、
大円筋に沿った箇所に位置する上半身第３サポート部と
を含み、
前記下半身サポート部は、
大腰筋の少なくとも一部に沿った箇所に位置する下半身第１サポート部と、
腸骨筋に沿った箇所に位置する下半身第２サポート部と、
梨状筋に沿った箇所に位置する下半身第３サポート部と
を含む、衣類。
【請求項１５】
着用者の体を被覆する衣類であって、
上半身の少なくとも一部と下半身の少なくとも一部とを被覆する上下衣類本体部と
前記上下衣類本体部に形成されたサポート部と
を備え、
前記サポート部は、
大腰筋に沿った箇所に位置する第１サポート部と、
腸骨筋に沿った箇所に位置する第２サポート部と、
棘上筋に沿った箇所に位置する上半身第２サポート部と、
大円筋に沿った箇所に位置する上半身第３サポート部と、
梨状筋に沿った箇所に位置する下半身第３サポート部と
を含む、衣類。
【請求項１６】
着用者の体を被覆する衣類であって、
少なくともヘソ周辺を被覆する衣類本体部と、
前記衣類本体部に形成されたサポート部と
を備え、
前記サポート部は、
大腰筋に沿った箇所に位置する第１サポート部と、
腸骨筋に沿った箇所に位置する第２サポート部と、
梨状筋に沿った箇所に位置する第３サポート部と
を含む、衣類。
【請求項１７】
前記衣類本体部は、ゴム部を備えた腹巻き部分を有している、請求項１６に記載の衣類。
【請求項１８】
着用者の体を被覆する衣類であって、
上半身の少なくとも一部を被覆する上半身部と、
前記上半身部に形成された上半身サポート部と
を備え、
前記上半身サポート部は、
棘上筋に沿った箇所に位置する上半身第２サポート部と、
大円筋に沿った箇所に位置する上半身第３サポート部と
を含む、衣類。
【請求項１９】
前記上半身第２サポート部の幅、および、前記上半身第３サポート部の幅は、それぞれ、５０ｍｍ以下である、請求項１８に記載の衣類。
【請求項２０】
前記上半身第２サポート部、および、前記上半身第３サポート部は、それぞれ、左右対称の形状に配置されている、請求項１８または１９に記載の衣類。
【請求項２１】
前記上半身サポート部は、前記上半身部の表面および裏面の少なくとも一方に貼られたテープ材料から構成されている、請求項１８から２０の何れか一つに記載の衣類。
【請求項２２】
前記上半身サポート部は、前記上半身部を構成する素材と一体に構成されている、請求項１８から２０の何れか一つに記載の衣類。
【請求項２３】
着用者の運動能力をサポートするサポート衣類の製造方法であって、
着用者の服の表面及び裏面の少なくとも一方において、大腰筋に沿った箇所に第１サポートテープを貼る工程と、
前記服の表面及び裏面の少なくとも一方において、腸骨筋に沿った箇所に第２サポートテープを貼る工程と、
前記服の表面及び裏面の少なくとも一方において、棘上筋に沿った箇所に第３サポートテープを貼る工程と、
前記服の表面及び裏面の少なくとも一方において、大円筋に沿った箇所に第４サポートテープを貼る工程と、
前記服の表面及び裏面の少なくとも一方において、梨状筋に沿った箇所に第５サポートテープを貼る工程と
を含む、製造方法。
【請求項２４】
前記第１〜第５サポートテープの幅は、５０ｍｍ以下であり、
前記サポート衣類は、スポーツ時、運搬時、および、介護される状態の時からなる群から選択される時に用いられる、請求項２３に記載の製造方法。
【請求項２５】
前記第１〜第５サポートテープは、一方の面に感熱性接着剤が付与された接着テープであり、
前記貼る工程は、アイロンの加熱によって実行される、請求項２３または２４に記載の製造方法。
【請求項２６】
前記第１〜第５サポートテープは、糸で縫われることによって貼られている、請求項２３から２５の何れか一つに記載の製造方法。
【請求項２７】
さらに、追加の上半身サポート部を規定する追加サポートテープを貼る工程を含み、
前記追加の上半身サポート部は、みぞおちの箇所を基準にしながら左の肋骨の位置に向かって移動させた点を開始点とし、当該開始点から丹田の箇所に延びるように配置されているものである、請求項２３から２６の何れか一つに記載の製造方法。
【発明の詳細な説明】
【技術分野】
【０００１】
本発明は、衣類に関する。特に、スポーツ時、運搬時、介護される状態の時などにおいて、着用者の筋肉をサポートすることができる衣類（例えば、シャツ、パンツ、つなぎ等）に関する。
【背景技術】
【０００２】
近年、スポーツ等を行う際の運動パフォーマンスを向上させるための運動用衣類が知られている。運動用衣類に帯するニーズは非常に根強いものがある。ゴルフを例に挙げれば、日々の筋力トレーニングやストレッチなどをせずとも、ヘッドスピードを上げて飛距離を伸ばしたいと考えているユーザは、顕在的に数多く存在している（例えば、特許文献１参照）。
【０００３】
また、上述したゴルフに限らず、テニス、野球、水泳、ヨガといった各種のスポーツ・エクササイズでは、他機関の回旋や腕の動作に伴う肩甲骨の運動が頻繁になされる。例えば、ゴルフやテニスでは、クラブやラケットのスイングをする際に、体幹を回旋することによって左右非対称の肩甲骨の運動がなされるし、そして、ヨガのポーズなどでは、両腕を左右対称に動かすことによって左右対称の肩甲骨の運動がなされる。
【０００４】
このような肩甲骨の運動は、左右いずれかの肩甲骨が独自に運動するのではなく、左右の肩甲骨が連動して運動する場合がほとんどである。しかしながら、典型的な運動用衣服は、いずれも、伸縮性を有する本体部に対して本体部よりも高い緊締力を有する緊締部によって着用者の上半身の姿勢を矯正するものに過ぎず、左右の肩甲骨の連動運動については十分な考慮がなされていなかった。したがって、これらの典型的な運動用衣類では、体幹の回旋や腕の動作を伴う各種の運動における運動パフォーマンスを十分に向上させることは困難であった。
【０００５】
このような背景の下、特許文献１では、図１及び図２に示すような運動用衣類１０００が開示されている。図１および図２は、それぞれ、運動用衣類１０００の正面図および背面図である。運動用衣類１０００は、体幹の回旋や腕の動作を伴う各種の運動における運動パフォーマンスを十分に向上させることが可能な運動用衣類である。
【０００６】
運動用衣類１０００は、着用者の上半身に密着する本体部１１０と、本体部１１０の表面側に縫合された緊張部１２０を備えている。本体部１１０は、前身頃１１１と後身頃１１２と、襟部１１３と、袖部１１４とから構成されている。緊締部１２０は、後身頃１１２に形成された第１緊締部１２１、第２緊締部１２２、第３緊締部１２３と、前身頃１１１に形成された第４緊締部１２４とから構成されている。第１緊締部１２１から第４緊締部１２４は、その緊締力を作用させることにより、第１緊締部１２１から第４緊締部１２４があてがわれた部分の着用者の筋肉・骨格をサポートする機能を有している。
【０００７】
運動用衣類１０００によれば、着用状態において、第１緊締部１２１による緊締力が肩甲骨及び肩甲骨回りの筋肉群に作用し、着用者が体幹の回旋や腕の動作を行う際に、肩甲骨の可動領域が広がるようにサポートされる。また、一方の第１緊締部１２１による緊締力は、第２緊締部１２２を介して他方の第１緊締部１２１に伝達される。このため、一方の肩甲骨の動きに連動して他方の肩甲骨の動きが更に助長され、肩甲骨の可動領域が一層広げられることとなる。したがって、運動用衣類１０００では、左右の肩が連動して運動する際の肩周辺の柔軟性が効果的に高められ、体幹の回旋や腕の動作を伴う各種の運動パフォーマンスの向上を実現することができる。
【先行技術文献】
【特許文献】
【０００８】
【特許文献１】特許第４０６１３３６号公報
【発明の概要】
【発明が解決しようとする課題】
【０００９】
上述した運動用衣類１０００によれば、第１緊締部１２１から第４緊締部１２４の作用により、左右の肩が連動して運動する際の肩周辺の柔軟性が効果的に高めることで、体幹の回旋や腕の動作を伴う各種の運動パフォーマンスを向上させている。しかしながら、運動パフォーマンスは、肩周辺の柔軟性を高めることによって改善できるものだけではない。本願発明者は、従来とは基本的に異なるアプローチ（思想）に基づいて、運動パフォーマンスを向上させる手法を見出し、本発明に至った。
【００１０】
本発明はかかる点に鑑みてなされたものであり、その主な目的は、スポーツ時、運搬時、介護される状態の時などにおいて、着用者の筋肉をサポートして運動能力や柔軟性を向上させることができる衣類を提供することにある。
【課題を解決するための手段】
【００１１】
本発明に係る衣類は、着用者の体を被覆する衣類であり、上半身の少なくとも一部を被覆する上半身部と、前記上半身部に形成された上半身サポート部とを備えている。前記上半身サポート部は、大腰筋の少なくとも一部に沿った箇所に位置する上半身第１サポート部と、棘上筋に沿った箇所に位置する上半身第２サポート部と、大円筋に沿った箇所に位置する上半身第３サポート部とを含んでいる。
【００１２】
ある好適な実施形態において、前記上半身サポート部は、さらに、追加の上半身サポート部を含んでいる。前記追加の上半身サポート部は、みぞおちの箇所を基準にしながら左の肋骨の位置に向かって移動させた点を開始点とし、当該開始点から丹田の箇所に延びるように配置されているものである。
【００１３】
ある好適な実施形態において、前記上半身第１サポート部の幅、前記上半身第２サポート部の幅、および、前記上半身第３サポート部の幅は、それぞれ、５０ｍｍ以下である。
【００１４】
ある好適な実施形態において、前記上半身第１サポート部の幅、前記上半身第２サポート部の幅、および、前記上半身第３サポート部の幅は、それぞれ、１ｍｍ以上２５ｍｍ以下である。
【００１５】
ある好適な実施形態において、前記上半身第１サポート部、前記上半身第２サポート部、および、前記上半身第３サポート部は、それぞれ、左右対称の形状に配置されている。
【００１６】
ある好適な実施形態において、前記上半身サポート部は、前記上半身部の表面および裏面の少なくとも一方に貼られたテープ材料から構成されている。
【００１７】
ある好適な実施形態において、前記テープ材料は、一方の面に感熱性接着剤が付与された接着テープである。
【００１８】
ある好適な実施形態において、前記接着テープは、前記上半身部の前記裏面に加熱によって貼り付けられている。さらに、前記接着テープは、糸で縫われて前記上半身部に固定されている。
【００１９】
ある好適な実施形態において、前記上半身サポート部は、前記上半身部を構成する素材と一体に構成されている。
【００２０】
ある好適な実施形態において、前記上半身部は、Ｔシャツ形状を有する。
【００２１】
本発明に係る衣類は、着用者の体を被覆する衣類であり、下半身の少なくとも一部を被覆する下半身部と、前記下半身部に形成された下半身サポート部とを備えている。前記下半身サポート部は、大腰筋の少なくとも一部に沿った箇所に位置する下半身第１サポート部と、腸骨筋に沿った箇所に位置する下半身第２サポート部と、梨状筋に沿った箇所に位置する下半身第３サポート部とを含む。
【００２２】
ある好適な実施形態において、前記下半身第１サポート部の幅、前記下半身第２サポート部の幅、および、前記下半身第３サポート部の幅は、それぞれ、５０ｍｍ以下である。
【００２３】
ある好適な実施形態において、前記下半身サポート部は、前記下半身部の表面および裏面の少なくとも一方に貼られたテープ材料から構成されている。
【００２４】
本発明に係る衣類は、着用者の体を被覆する衣類であり、上半身の少なくとも一部を被覆する上半身部と、下半身の少なくとも一部を被覆する下半身部と、前記上半身部に形成された上半身サポート部と、前記下半身部に形成された下半身サポート部とを備えている。前記上半身サポート部は、大腰筋の少なくとも一部に沿った箇所に位置する上半身第１サポート部と、棘上筋に沿った箇所に位置する上半身第２サポート部と、大円筋に沿った箇所に位置する上半身第３サポート部とを含んでいる。前記下半身サポート部は、大腰筋の少なくとも一部に沿った箇所に位置する下半身第１サポート部と、腸骨筋に沿った箇所に位置する下半身第２サポート部と、梨状筋に沿った箇所に位置する下半身第３サポート部とを含んでいる。
【００２５】
本発明に係る衣類は、着用者の体を被覆する衣類であり、上半身の少なくとも一部と下半身の少なくとも一部とを被覆する上下衣類本体部と、前記上下衣類本体部に形成されたサポート部とを備えている。前記サポート部は、大腰筋に沿った箇所に位置する第１サポート部と、腸骨筋に沿った箇所に位置する第２サポート部と、棘上筋に沿った箇所に位置する上半身第２サポート部と、大円筋に沿った箇所に位置する上半身第３サポート部と、梨状筋に沿った箇所に位置する下半身第３サポート部とを含んでいる。
【００２６】
本発明に係る衣類は、着用者の体を被覆する衣類であり、少なくともヘソ周辺を被覆する衣類本体部と、前記衣類本体部に形成されたサポート部とを備えている。前記サポート部は、大腰筋に沿った箇所に位置する第１サポート部と、腸骨筋に沿った箇所に位置する第２サポート部と、梨状筋に沿った箇所に位置する第３サポート部とを含んでいる。
【００２７】
本発明に係る衣類は、着用者の体を被覆する衣類であり、上半身の少なくとも一部を被覆する上半身部と、前記上半身部に形成された上半身サポート部とを備えている。前記上半身サポート部は、棘上筋に沿った箇所に位置する上半身第２サポート部と、大円筋に沿った箇所に位置する上半身第３サポート部とを含んでいる。
【００２８】
ある好適な実施形態において、前記上半身第２サポート部の幅、および、前記上半身第３サポート部の幅は、それぞれ、５０ｍｍ以下である。
【００２９】
ある好適な実施形態において、前記上半身第２サポート部、および、前記上半身第３サポート部は、それぞれ、左右対称の形状に配置されている。
【００３０】
ある好適な実施形態において、前記上半身サポート部は、前記上半身部の表面および裏面の少なくとも一方に貼られたテープ材料から構成されている。
【００３１】
ある好適な実施形態において、前記上半身サポート部は、前記上半身部を構成する素材と一体に構成されている。
【００３２】
本発明に係る製造方法は、着用者の運動能力をサポートするサポート衣類の製造方法であり、着用者の服の表面及び裏面の少なくとも一方において、大腰筋に沿った箇所に第１サポートテープを貼る工程と、前記服の表面及び裏面の少なくとも一方において、腸骨筋に沿った箇所に第２サポートテープを貼る工程と、前記服の表面及び裏面の少なくとも一方において、棘上筋に沿った箇所に第３サポートテープを貼る工程と、前記服の表面及び裏面の少なくとも一方において、大円筋に沿った箇所に第４サポートテープを貼る工程と、前記服の表面及び裏面の少なくとも一方において、梨状筋に沿った箇所に第５サポートテープを貼る工程とを含んでいる。
【００３３】
ある好適な実施形態において、前記第１〜第５サポートテープの幅は、５０ｍｍ以下であり、前記サポート衣類は、スポーツ時、運搬時、および、介護される状態の時からなる群から選択される時に用いられる。
【００３４】
ある好適な実施形態において、前記第１〜第５サポートテープは、一方の面に感熱性接着剤が付与された接着テープである。前記貼る工程は、アイロンの加熱によって実行される。
【００３５】
ある好適な実施形態において、前記第１〜第５サポートテープは、糸で縫われることによって貼られている。
【００３６】
ある好適な実施形態においては、さらに、追加の上半身サポート部を規定する追加サポートテープを貼る工程を含む。前記追加の上半身サポート部は、みぞおちの箇所を基準にしながら左の肋骨の位置に向かって移動させた点を開始点とし、当該開始点から丹田の箇所に延びるように配置されているものである。
【発明の効果】
【００３７】
本発明の衣服によれば、上半身の少なくとも一部を被覆する上半身部に上半身サポート部が形成されており、上半身サポート部は、大腰筋の少なくとも一部に沿った箇所に位置する上半身第１サポート部と、棘上筋に沿った箇所に位置する上半身第２サポート部と、大円筋に沿った箇所に位置する上半身第３サポート部とを含んでいるので、筋肉をサポートすることで活性化させて自然と任脈と督脈の経絡が自然と流れるようにすることができる。その結果、スポーツ時、運搬時、介護される状態の時などにおいて、着用者の筋肉をサポートして運動能力や柔軟性を向上させることができる。加えて、下半身の少なくとも一部を被覆する下半身部に下半身サポート部が形成されており、下半身サポート部は、大腰筋の少なくとも一部に沿った箇所に位置する下半身第１サポート部と、腸骨筋に沿った箇所に位置する下半身第２サポート部と、梨状筋に沿った箇所に位置する下半身第３サポート部とを含む衣類（下半身衣服）と組み合わせることにより、上半身と同様に下半身においても、筋肉をサポートして活性化させて自然と任脈と督脈の経絡が自然と流れるようにすることができる。また、梨状筋の箇所に位置する下半身第３サポート部によって、上下・前後のバランスが取りやすくすることができる。
【図面の簡単な説明】
【００３８】
【図１】従来の運動用衣類１０００の正面図である。
【図２】従来の運動用衣類１０００の背面図である。
【図３】（ａ）から（ｃ）は、それぞれ、人間９００の骨格を示す正面図、側面図および背面図である。
【図４】（ａ）および（ｂ）は、それぞれ、棘上筋９０３および大円筋９０４の筋肉を示す図である。
【図５】（ａ）および（ｂ）は、それぞれ、動物９００Ａの骨格と、人間９００を四つん這いにした様子を示す図である。
【図６】腸骨筋９０２および大腰筋９０１の筋肉を示す図である。
【図７】梨状筋９０５の筋肉を示す図である。
【図８】本発明の実施形態に係る衣類（シャツ）１００の正面構成を示す斜視図である。
【図９】本発明の実施形態に係る衣類（シャツ）１００の背面構成を示す斜視図である。
【図１０】本発明の実施形態に係るシャツ１００におけるサポートしている部分を示す正面図である。
【図１１】本発明の実施形態に係るシャツ１００におけるサポートしている部分を示す背面図である。
【図１２】本発明の実施形態に係る衣類（パンツ）２００の正面構成を示す斜視図である。
【図１３】本発明の実施形態に係る衣類（パンツ）２００の背面構成を示す斜視図である。
【図１４】本発明の実施形態に係るパンツ２００におけるサポートしている部分を示す正面図である。
【図１５】本発明の実施形態に係るパンツ２００におけるサポートしている部分を示す背面図である。
【図１６】本発明の実施形態に係るシャツ１００及びパンツ２００を組み合わせた構成を示す正面図である。
【図１７】本発明の実施形態に係るシャツ１００及びパンツ２００を組み合わせた構成を示す背面図である。
【図１８】本発明の実施形態に係る衣類（つなぎ）４００の正面構成を示す斜視図である。
【図１９】本発明の実施形態に係る衣類（つなぎ）４００の背面構成を示す斜視図である。
【図２０】本発明の実施形態に係るつなぎ４００におけるサポートしている部分を示す正面図である。
【図２１】本発明の実施形態に係るつなぎ４００におけるサポートしている部分を示す背面図である。
【図２２】本発明の実施形態に係る衣類（腹巻きパンツ）６００の構成を示す正面図である。
【図２３】本発明の実施形態に係る衣類（腹巻きパンツ）６００の構成を示す背面図である。
【図２４】本発明の実施形態に係る衣類（シャツ）１０１の正面構成を示す斜視図である。
【図２５】本発明の実施形態に係る衣類（シャツ）１０１の背面構成を示す斜視図である。
【図２６】比較例および実施例の実験結果を示すテーブルである。
【図２７】（ａ−１）から（ｅ−２）は、比較例および実施例の結果を示す図面代用写真である。
【図２８】比較例および実施例の評価に使用した評価用紙である。
【図２９】（ａ）から（ｃ）は、比較例および実施例の実験結果を示すテーブルである。
【図３０】（ａ）から（ｃ）は、比較例の実験結果を示すグラフである。
【図３１】（ａ）から（ｃ）は、実施例の実験結果を示すグラフである。
【図３２】本発明の実施形態に係る衣類（シャツ）１００の背面構成を示す斜視図である。
【図３３】本発明の実施形態に係るシャツ１００におけるサポートしている部分を示す背面図である。
【図３４】本発明の実施形態に係るシャツ１０２におけるサポートしている部分を示す正面図である。
【図３５】比較例および実施例の実験結果を示すテーブルである。
【図３６】本発明の実施形態に係るテープ製品８００の構成を模式的に示す斜視図である。
【発明を実施するための形態】
【００３９】
本発明の実施形態の詳細を説明する前に、本願発明者が、本発明に係る衣類ないし運動能力向上（又は、身体機能改善）の手法を見出した経緯について説明する。本願発明者は、図１及び図２に示したような大がかりの運動用衣類１０００でなく、普通のＴシャツを用いて身体の機能改善を行うことができないかについて鋭意検討していた。種々の検討の中で、Ｔシャツの所定箇所にテープ（手頃な張力があるテープとして養生テープ）を貼ったところ、身体の機能改善（運動能力向上）を図ることができることがわかった。
【００４０】
図３（ａ）から（ｃ）は、人間９００の骨格を示す正面図、側面図、背面図である。本願発明者は、テープ（市販の養生テープ）を、服（Ｔシャツまたはシャツ、および、ズボン）の上から貼った。具体的には、大腰筋９０１に沿った箇所、腸骨筋９０２に沿った箇所、棘上筋９０３に沿った箇所、大円筋９０４に沿った箇所、および、梨状筋９０５に沿った箇所においてテープ（ここでは、ガムテープや、養生テープ）を貼った。すると、いくつもの身体的能力の向上（例えば、柔軟性の向上、運動能力の向上など）が見られた。身体的能力の向上の具体的な内容については後述する。
【００４１】
なぜ、この箇所にテープを貼ると、身体的能力が向上するかについては、明確な理由はわからず、推測の域をでないが、本願発明者は次のようなものでないかと推考した。テープを貼っている位置（９０１〜９０５）は、経絡に対応した筋肉の位置である。一番重要となる経絡として、人間の真ん中を通る任脈（にんみゃく）と督脈（とくみゃく）が挙げられる。任脈（Conception Vessel）は、奇脈に属する体の前正中線を流れる径脈である。そして、督脈（Governor Vessel）は、奇脈に属する体の後正中線を流れる径脈である。
【００４２】
ここで、上半身において、任脈に対応している筋肉は棘上筋９０３であり、そして、督脈に対応している筋肉は大円筋９０４である。図４（ａ）および（ｂ）は、それぞれ、棘上筋９０３および大円筋９０４の筋肉を示している。そして、これらの筋肉（９０３、９０４）に対応する衣類にテープを貼ってサポートすることで、筋肉を活性化させることができ、その結果、自然と任脈と督脈の経絡が自然と流れるようになると推論される。さらに、本願発明者は、こうした動きのある筋肉が下半身（足）ではどこに当たるかを推測した。図５（ａ）および（ｂ）は、それぞれ、動物９００Ａの骨格と、人間９００を四つん
這いにした様子を示している。
【００４３】
さらに、上半身を前足とみたてて、下半身を後ろ足とみたてると、次のような対応になると思われる。すなわち、肩甲骨（上半身）は腸骨（下半身）、肩関節（上半身）は股関節（下半身）、肘（上半身）は膝（下半身）、手首（上半身）は足首（下半身）に対応する。そして、下半身（後ろ足）において、棘上筋９０３および大円筋９０４に対応しているのは、それぞれ、腸骨筋９０２および大腰筋９０１である。図６は、腸骨筋９０２および大腰筋９０１の筋肉を示している。これらの箇所にテープを貼ると、身体の真ん中（任脈、督脈）を通る軸を体感することができる。これを例えると、武術では、力に頼らずに触れるだけで技がかかるときに、感情・思考・肉体のバランスが整っている状態と考えられており、そういった整った状態で、介護をしてみるとあまり力を使わなくても軽く持ち上げることができることがあり、当該箇所にテープを貼った手法によって体現されているものは、そのような状態に似ていると想像される。
【００４４】
加えて、腸骨筋９０２および大腰筋９０１（二つをあわせて「腸腰筋」と称するときもある）にテープを貼った際に、身体の軸の形成が起こるが、引力によって引っ張られる感覚が強くなってしまう（例えば、ジャンプをしたら着地の力が強く感じる）。その対応として、梨状筋９０５の箇所にテープを貼ることを思いついた。図７は、梨状筋９０５の筋肉を示している。この梨状筋９０５にテープを追加で貼ることにより、上下・前後のバランスが取りやすくなることがわかった。
【００４５】
以下、図面を参照しながら、本発明の好適な実施形態を説明する。以下の図面においては、説明の簡潔化のために、同じ作用を奏する部材、部位には同じ符号を付し、重複する説明は省略または簡略化することがある。また、各図における寸法関係（長さ、幅、厚さ等）は、必ずしも実際の寸法関係を正確に反映していない場合がある。ただし、図８及び図９、図１０及び図１１、図１２及び図１３、図１４及び図１５などのように、各図において寸法関係を一致させているものもあり、その場合は、各図の寸法・位置関係から、六面図を導き出すことが可能である。なお、衣類（衣服）なので、六面図においては厚みは
無視できることが多い。
【００４６】
また、本明細書において特に言及している事項以外の事柄であって本発明の実施に必要な事項は、当該分野における従来技術に基づく当業者の設計事項として把握され得る。本発明は、本明細書及び図面によって開示されている内容と当該分野における技術常識とに基づいて実施することができる。加えて、本発明は、以下の実施形態に限定されるものではない。
【００４７】
図８および図９は、本発明の実施形態に係る衣類（シャツ）１００の構成を示す斜視図である。図８および図９は、それぞれ、本実施形態に係る衣類（シャツ）１００の正面構成および背面構成を示している。本実施形態の衣類１００は、着用者の体を被覆する衣類であり、シャツ（図示した例ではＴシャツ）の構成を有している。
【００４８】
本実施形態のシャツ１００は、上半身の少なくとも一部を被覆する上半身部１０を備えている。本実施形態の構成においては、シャツ１００を構成する上半身部１０は、前身頃１５ａおよび後身頃１５ｂからなる胴体部１５、襟部１１および袖部１２から構成されている。この例では、胴体部１５の下端１９は、腰または股の周囲に位置している。本実施形態のシャツ１００（上半身部１０）は、Ｔシャツの形状を有しているので、襟部１１は丸首で、シャツ（例えば、ワイシャツ）のような襟はないが、襟があってよい。また、袖部１２は半袖であるが、長袖、七分袖（または、五分袖）、ノースリーブのような形態であってもよい。胴体部１５は、前身頃１５ａおよび後身頃１５ｂを縫合したものが作製しやすいが、継ぎ目のない一体となったものであっても構わない。
【００４９】
本実施形態の上半身部１０を構成する素材は、典型的に衣類として使用される生地であり、衣類として適切な伸縮性を有している。なお、ここでの伸縮性は、衣類として適切な特性のものを意味しており、ゴム（エラストマ）のような復元力を特段要求するものではない。シャツ１００（上半身部１０）を構成する素材（生地）は、天然繊維素材（例えば、コットン素材（綿）、シルク素材（絹）など）、合成繊維素材（例えば、ポリエステル素材など）、または、天然繊維素材と合成繊維素材との混合素材（例えば、ポリエステルと綿の混紡のもの等）や、複数種類の混合素材（例えば、ナイロン／ポリウレタン素材、
レーヨン素材／アクリル素材／ポリエステル素材、アクリル素材／ポリエステル素材／レーヨン素材／ポリウレタン素材など）を挙げることができる。なお、Ｔシャツでないシャツ（例えば、ポロシャツのようなシャツ）の場合、さらに、麻、羊毛のような素材も使用され得る。
【００５０】
本実施形態の衣類（シャツ）１００においては、上半身部１０に（または、上半身部１０を構成する素材に、ここではＴシャツを構成する素材に）上半身サポート部２０が形成されている。本実施形態の構成においては、上半身サポート部２０は、大腰筋（図３（ａ）の「９０１」）の少なくとも一部に沿った箇所に位置する上半身第１サポート部２１と、棘上筋（図３（ｃ）の「９０３」）に沿った箇所に位置する上半身第２サポート部２２と、大円筋（図３（ｃ）の「９０４」）に沿った箇所に位置する上半身第３サポート部２３とから構成されている。本実施形態の「上半身サポート部」は、テープ（又は布）が貼
られたような感触を筋肉に与えて、筋肉を活性化させてサポートするものである。このようなテープ（又は布）を貼ったような感触は、テープ部材を上半身部１０に貼り付けることによって形成することが可能である。なお、このような感触を与えるテープ部材は、収縮するもの（収縮テープ）であっても、収縮しないもの（ガムテープ、養生テープ、または、それに類するもの）であってもよい。
【００５１】
本実施形態の上半身第１サポート部２１は、大腰筋（９０１）の一部に沿って延びる一対の短冊形状の構造（ストリップ部）２１ａ、２１ｂから構成されている。一対のストリップ部２１ａ、２１ｂは、大腰筋の上側の開始点である箇所に対応するポイント２１ｃから下方に延びている。図８に示した例では、一対のストリップ部２１ａ、２１ｂは、大腰筋の下側までは延びていない。ただし、上半身部１０を下まで長くして、一対のストリップ部２１ａ、２１ｂをさらに下まで延ばしてもよく、大腰筋の全部に沿うようにしてもよい。
【００５２】
本実施形態の上半身第２サポート部２２は、棘上筋（９０３）に沿って延びる一対の短冊形状の構造（ストリップ部）２２ａ、２２ｂから構成されている。ストリップ部２２ａ、２２ｂは、棘上筋（９０３）に沿って延びているものであるが、棘上筋の端から端まで（開始点から終着点）延びるように形成されていることが好ましい。また、着用者の体型によっては、棘上筋（９０３）の全体に沿って形成されないことがあるが、できるだけ、棘上筋の端と端（開始点と終着点（または、起始部、停止部））が、ストリップ部２２ａ、２２ｂの開始点と終着点に対応できるような形状でサイズのラインナップを揃えて（または、オーダーメイドで）形成されていることが好ましい。
【００５３】
本実施形態の上半身第３サポート部２３は、大円筋（９０４）に沿って延びる一対の短冊形状の構造（ストリップ部）２３ａ、２３ｂから構成されている。ストリップ部２３ａ、２３ｂは、大円筋（９０４）に沿って延びているものであるが、棘上筋の端から端まで（開始点から終着点）延びるように形成されていることが好ましい。また、着用者の体型によっては、大円筋（９０４）の全体に沿って形成されないことがあるが、できるだけ、棘上筋の端と端（開始点と終着点）が、ストリップ部２２ａ、２２ｂの開始点と終着点に対応できるような形状でサイズのラインナップを揃えて（または、オーダーメイドで）形成されていることが好ましい。
【００５４】
本実施形態において、上半身第１サポート部２１、上半身第２サポート部２２および上半身第３サポート部２３は、テープ材料から構成されている。テープ材料から構成された上半身第１サポート部２１、上半身第２サポート部２２および上半身第３サポート部２３は、衣類（シャツ）１００の当該筋肉の箇所（９０１、９０３、９０４）に、テープ（又は布）が貼られているような感じを筋肉に与えて、当該筋肉（９０１、９０３、９０４）に刺激を与えて筋肉を活性化させることでサポートすることができる。本実施形態の一例では、テープ材料を上半身部１０の表面（露出している面）に貼ることによって、上半身第１サポート部２１、上半身第２サポート部２２および上半身第３サポート部２３を構築している。また、テープ材料を上半身部１０の裏面（身体側の面）に貼ることによって、上半身第１サポート部２１、上半身第２サポート部２２および上半身第３サポート部２３を構築することもできる。なお、テープ材料を上半身部１０の表面および裏面の両方に貼ることによって、上半身第１サポート部２１、上半身第２サポート部２２および上半身第３サポート部２３を構築することも可能である。
【００５５】
本実施形態における上半身サポート部２０を構成するテープ材料は、例えば、キネシオテープである。なお、「キネシオテープ」とは、キネシオテーピング法によって患部の治癒を助けるテーピング用テープの一つであり、筋肉と同じくらいの伸びがあり、患部を固定するのではなく、伸びすぎた、あるいは収縮しすぎた筋肉に沿って貼ることができるものである（市販品のものとしては、ピップ（株）製、ニチバン（株）製、（株）ニトムズ製などがある）。また、上半身サポート部２０を構成するテープ材料は、マルチスポーツテープであり、例えば、皮膚感覚の４０デニール綿布を使用したＣＬＥＡＲマルチスポーツテープ（株式会社ミスディナ・ジャポン製）である。なお、「キネシオテープ」は、効果の有無を確認するために皮膚に直接貼って使用した例もある。
【００５６】
さらに、本実施形態における上半身サポート部２０を構成するテープ材料として、養生テープ（または、マスキングテープ）を挙げることができる。養生テープは、ポリエステル（または、ポリエチレンクロス基材、ガラスクロス基材など）から構成された粘着性テープであり、伸縮性はほとんどない（一例として、養生テープの厚さは０．１６ｍｍであり、粘着力は４．８Ｎ／１０ｍｍ、引張強度は５４Ｎ／１０ｍｍである）。また、上半身サポート部２０を構成するテープ材料として、例えば、チタンテープ（綿９７％、ポリウレタン３％：ファイテン株式会社製）などを使用することができる。本願発明者の実験では、（１）キネシオテープ、および、マルチスポーツテープ、（２）養生テープ、（３）チタンテープの順で効果があった。また、上半身サポート部２０を構成するテープ材料として、滑り止めマットを切ったもの、および、下敷きのようなプラスチック素材を切ったものも、本願発明者の実験によって効果が確認された。また、上述したテープ材料は例示であり、上半身サポート部２０を構成するテープ材料として適しているのであれば、その材質・種類・寸法・形状などに制約があるものではない。テープ材料の製品だけでなく、サポータを切ってテープ材料に加工したものでもよい。なお、養生テープ、滑り止めマットを切ったもの、下敷きのようなプラスチック素材を切ったもの、ガムテープ等は、シャツの外側から貼った場合（シャツの外表面に貼った場合）において効果があった。また、そのようなテープ素材をシャツの内側で貼った場合（シャツの内表面に貼った場合）は、シャツとして着心地が良くないという欠点がある。
【００５７】
本実施形態における上半身サポート部２０を構成するテープ材料としては、上半身部１０を構成する素材よりも、収縮性があるものが好ましい（例えば、キネシオテーピング、または、伸縮性テープ）。また、上半身サポート部２０を構成するテープ材料として収縮性がないもの（例えば、養生テープ、ガムテープ）の場合は、引張強度が、１８Ｎ／１０ｍｍ以上（好ましい一例は、４０Ｎ／１０ｍｍ以上）のものであることが好ましい（一例では、５４Ｎ／１０ｍｍ（養生テープ））。上半身サポート部２０を構成するテープ材料として収縮性がないものとして、ガムテープ（布テープ）を用いる場合は、引張強度は例
えば４８Ｎ／１０ｍｍであり、ガムテープ（クラフトテープ、紙テープ（クラフト粘着テープ））を用いる場合は、引張強度は例えば１９．５Ｎ／１０ｍｍである。
【００５８】
本実施形態の上半身第１サポート部２１の幅、上半身第２サポート部２２の幅、および、上半身第３サポート部２３の幅は、それぞれ、例えば、５０ｍｍ以下のもの（好ましく
は、２５ｍｍ〜１ｍｍ）にすることができる。本願発明者の検討によると、上半身サポート部２０を構成するテープ材料は、該当する筋肉の両サイド（起始部、停止部）の端部に、ピンポイントで貼る手法（例えば、１ｃｍ〜２ｃｍ角で貼る手法）もあり、それによって効果もでる（特に、棘上筋（９０３）および大円筋（９０４）。大腰筋（９０１）は起始部）。なお、テープ材料（２１、２２、２３）の幅は、あまり広いものよりも、比較的細いもの（筋肉に対応した幅程度：例えば、１ｍｍ〜１０ｍｍ）の方が好ましい傾向があった。これは、上半身サポート部２０を構成するテープ材料を、該当する筋肉にピンポイントで当てる方が、メリハリができ（力がぼけずに集中して）、筋肉の動きについてより確実なサポートになるものによると推測される。本願発明者の実験によると、上半身サポート部２０を構成するテープ材料が、養生テープの幅（５０ｍｍ）、その半分の幅（２５ｍｍ）、ピンポイントの幅（１０ｍｍ以下）の順に効果が高くなることが確認された。なお、テープ材料が幅５０ｍｍを超えると、筋肉への刺激（筋肉の活性化）がぼやけてしまうので、５０ｍｍ以下（好ましくは２５ｍｍ以下）が良いが、人によって適切な筋肉に適切にテープ材料を貼ることが難しいことがあるので、効果を少し犠牲にして５０ｍｍを超える幅またはそれに近い幅（例えば、５０ｍｍ〜１００ｍｍ）のもので広範囲にテープ材料を貼るような手法を採用する場合があり得るが、最大５０ｍｍまでにすることが好ましい。
【００５９】
またテープ材料（２１、２２、２３）を布素材（ここでは、綿（例えば、綿４０スムース））にして、上半身部１０（シャツ本体部）の表面（ここでは、内表面）に接触（固定・接着）させる布面に、感熱接着剤（または、アイロン接着剤）を塗布しておき、ヒータ（ここでは、アイロン）の加熱によって、当該テープ材料を上半身部１０（シャツ本体部）に貼り付ける（接着固定）させることができる。この場合、布生地（接触面、綿）が皮膚に接触して刺激し、感熱接着剤の面はシャツ側に位置する。なお、洗濯しても、テープ材料（２１、２２、２３）が取れたり・ずれないように、テープ材料を縫って、上半身部１０（シャツ本体部）に貼り付けてもよい（固定してもよい）。この場合、一度、アイロン接着で固定してから、糸で縫う方が便利である。
【００６０】
本実施形態の構成において、上半身第１サポート部２１の幅、上半身第２サポート部２２の幅、および、上半身第３サポート部２３の幅は、それぞれ、同じ幅（例えば、５ｍｍ、または、１０ｍｍなど）にすることができる。その場合、上半身サポート部２０を構成するテープ材料は共通のものを使用できる利点がある。また、上半身第１サポート部２１の幅、上半身第２サポート部２２の幅、および、上半身第３サポート部２３の幅は、同じものでなく、異なるものにしても構わない。上半身第１サポート部２１の幅、上半身第２サポート部２２の幅、および、上半身第３サポート部２３の幅を変えることにより、各筋
肉の動きをより活性化出来る可能性があるとともに、デザインの要請から変更した方がいい場合があり得るからである。
【００６１】
また、人間の身体（骨格、筋肉）は基本的に左右対称であるので、上半身第１サポート部２１、上半身第２サポート部２２、および、上半身第３サポート部２３は、それぞれ、左右対称の形状に配置されている。ただし、現実には、右側と左側で筋肉の役割が違うことがあり（例えば、右利きの人は右手で投げる等の筋肉が発達している）、その点では、各個人にあわせて、右側と左側での筋肉の流れに沿って左右非対称に、上半身第１サポート部２１、上半身第２サポート部２２、および、上半身第３サポート部２３を配置することが好ましい場合がある。加えて、左右の筋肉の位置の違い（各個人の微妙な違い）ではなく、デザインの要請などの理由から、左右対称でない配置にしたい場合があるときは、本実施形態における上半身サポート部２０が機能を発揮する範囲内において変更することが可能である。また、本実施形態における上半身サポート部２０は、該当する筋肉の両サイド（起始部または停止部）を端部とした上半身サポート部２０にすることが好ましいが、デザインの要請などの理由からその形状を変更したい場合、本実施形態における上半身サポート部２０が機能を発揮する範囲内において変更することが可能である。
【００６２】
図１０および図１１は、本実施形態に係るシャツ１００における「サポートしている部分」を示す正面図および背面図である。図中の「斜線を施した部分」が「サポートしている部分」に対応している。具体的には、「サポートしている部分」（斜線を施した部分）は、上半身第１サポート部２１（大腰筋９０１）、上半身第２サポート部２２（棘上筋９０３）、上半身第３サポート部２３（大円筋９０４）に対応している。上述した説明では、上半身サポート部２０（２１、２２、２３）をテープ材料から構築したが、図１０及び図１１に示すような「サポートしている部分」の領域を形成できるのであれば、それに限らない。例えば、シャツ１００を構成する上半身部１０の材質や織り方を変えることで、「サポートしている部分」の領域（あるいは、締め付ける力がある場合には緊締部の領域、伸縮する力がある場合には伸縮部の領域、または、収縮する力がある場合には収縮領域）を形成することができる。このような場合、本実施形態の上半身サポート部２０は、上半身部１０を構成する素材と一体に構成することができる。また、上半身部１０を構成する素材の内部に、「サポートしている部分」をすることができる材料・部材を配置したりしてもよい。あるいは、「サポートしている部分」に該当する箇所に、ポケット等のような収納部を（上半身部１０の表面、内部、または裏面の箇所に）形成して、その収納部に、「サポート」している力（サポート力、または、テープ又は布が当たっているような感触を与える力）を発揮できるものを入れることにより、本実施形態の衣類（シャツ）１００を作製してもよい。加えて、図示したように「サポートしている部分」が形成されているのであれば、他の場所に、さらに「サポートしている部分」が形成されていても構わない。また、テープ材料を貼る（例えば、接着剤の固定、粘着固定、感熱接着、縫う等）ことによって「サポートしている部分」を形成するときは、スポーツ用シャツ（Ｔシャツ、テニスシャツ、ゴルフシャツなど）だけでなく、ワイシャツのような通常のシャツでも効果を発揮させることができる。
【００６３】
図１２および図１３は、本発明の実施形態に係る衣類（パンツ、ズボン又はタイツ）２００の構成を示す斜視図である。図１２および図１３は、それぞれ、本実施形態に係る衣類（ズボン／タイツ）２００の正面構成および背面構成を示している。本実施形態の衣類２００は、着用者の体を被覆する衣類であり、ズボン（図示した例では、半ズボン）の構成を有している。
【００６４】
本実施形態の衣類（ズボン、または、股付き衣類）２００は、下半身の少なくとも一部を被覆する下半身部３０を備えている。本実施形態の構成においては、胴体（主に、腹や腰）が入る開口３２を規定するウエスト部３１と、下半身胴体（腹と股の周辺部）を被服する股上部３５と、足を覆う股下部３６とから構成されている。本実施形態のズボン２００（下半身部３０）は、半ズボン（ハーフパンツ）の形状を有しているので、股下部３６の長さは短いが、足首（または膝やすね）まで股下部３６があってもよい。また、本実施形態のズボン２００は、足を覆う部分がないブリーフ形状のものであってもよいし、水着であってもよい。また、図示したズボン２００では、左右の生地をつなぎ合わせた形態のものを示しているが、ズボン２００の前身頃３５ａと後身頃３５ｂとをつなぎ合わせた形態であってもよいし、あるいは、さらに他のパーツを組み合わせた形態であってもよく、図示した特定な構成に限定されるものではない。
【００６５】
本実施形態の下半身部３０を構成する素材は、典型的に衣類として使用される生地であり、衣類として適切な伸縮性を有している。なお、ここでの伸縮性は、衣類として適切な特性のものを意味しており、ゴム（エラストマ）のような復元力を特段要求するものではない。ズボン２００（下半身部３０）を構成する素材（生地）は、天然繊維素材（例えば、コットン素材（綿）、シルク素材（絹）など）、合成繊維素材（例えば、ポリエステル素材など）、または、天然繊維素材と合成繊維素材との混合素材（例えば、ポリエステルと綿の混紡のもの等）や、複数種類の混合素材（例えば、ナイロン／ポリウレタン素材、レーヨン素材／アクリル素材／ポリエステル素材、アクリル素材／ポリエステル素材／レーヨン素材／ポリウレタン素材など）を挙げることができる。さらに、麻、羊毛のような素材も使用され得る。
【００６６】
本実施形態の衣類（ズボン）２００においては、下半身部３０に（または、下半身部３０を構成する素材に、ここでは半ズボンを構成する素材に）下半身サポート部４０が形成されている。本実施形態の構成においては、下半身サポート部４０は、大腰筋（図３（ａ）の「９０１」）の少なくとも一部に沿った箇所に位置する下半身第１サポート部４１と、腸骨筋（図３（ａ）の「９０２」）に沿った箇所に位置する下半身第２サポート部４２と、梨状筋（図３（ｃ）の「９０５」）に沿った箇所に位置する下半身第３サポート部４３とから構成されている。
【００６７】
本実施形態の下半身第１サポート部４１は、大腰筋（９０１）の一部に沿って延びる一対の短冊形状の構造（ストリップ部）４１ａ、４１ｂから構成されている。一対のストリップ部４１ａ、４１ｂは、大腰筋の下側の開始点である箇所に対応するポイント４５（４５ａ、４５ｂ）から上方に延びている。図１２に示した例では、一対のストリップ部４１ａ、４１ｂは、大腰筋の上側までは延びていない。ただし、下半身部３０を上まで長くして、一対のストリップ部４１ａ、４１ｂをさらに上まで延ばしてもよく、大腰筋の全部に沿うようにしてもよい。
【００６８】
本実施形態の下半身第２サポート部４２は、腸骨筋（９０２）に沿って延びる一対の短冊形状の構造（ストリップ部）４２ａ、４２ｂから構成されている。ストリップ部４２ａ、４２ｂは、腸骨筋（９０２））に沿って延びているものであるが、棘上筋の端から端まで（開始点から終着点）延びるように形成されていることが好ましい。また、着用者の体型によっては、腸骨筋（９０２）の全体に沿って形成されないことがあるが、できるだけ、腸骨筋の端と端（開始点と終着点（または、起始部、停止部））が、ストリップ部４２ａ、４２ｂの開始点と終着点に対応できるような形状でサイズのラインナップを揃えて（または、オーダーメイドで）形成されていることが好ましい。加えて、本実施形態の構成においては、下半身第２サポート部４１および下半身第２サポート部４２を一体に形成したパターンのものを示しているが、下半身第２サポート部４１のパターンのものと、下半身第２サポート部のパターンのものとを組み合わせて形成してもよい。
【００６９】
本実施形態の下半身第３サポート部４３は、梨状筋（９０５）に沿って延びる一対の短冊形状の構造（ストリップ部）４３ａ、４３ｂから構成されている。ストリップ部４３ａ、４３ｂは、梨状筋（９０５）に沿って延びているものであるが、梨状筋の端から端まで（開始点から終着点）延びるように形成されていることが好ましい。また、着用者の体型によっては、梨状筋（９０５）の全体に沿って形成されないことがあるが、できるだけ、梨状筋の端と端（開始点と終着点）が、ストリップ部４２ａ、４２ｂの開始点と終着点に対応できるような形状でサイズのラインナップを揃えて（または、オーダーメイドで）形成されていることが好ましい。
【００７０】
本実施形態において、下半身第１サポート部４１、下半身第２サポート部４２および下半身第３サポート部４３は、テープ材料から構成されている。テープ材料から構成された下半身第１サポート部４１、下半身第２サポート部４２および下半身第３サポート部４３は、衣類（シャツ）１００の当該筋肉の箇所（９０１、９０２、９０５）に、テープ（又は布）が貼られているような感じを筋肉に与えて、当該筋肉（９０１、９０２、９０５）に刺激を与えてサポートすることができる。本実施形態の一例では、テープ材料を下半身部３０の表面（露出している面）に貼ることによって、下半身第１サポート部４１、下半身第２サポート部４２および下半身第３サポート部４３を構築している。また、テープ材料を下半身部３０の裏面（身体側の面）に貼ることによって、下半身第１サポート部４１、下半身第２サポート部４２および下半身第３サポート部４３を構築することもできる。なお、テープ材料を下半身部３０の表面および裏面の両方に貼ることによって、下半身第１サポート部４１、下半身第２サポート部４２および下半身第３サポート部４３を構築することも可能である。
【００７１】
本実施形態における下半身サポート部４０を構成するテープ材料は、上半身サポート部２０を構成するテープ材料と同じものを使用することができる（例えば、キネシオテープ、スポーツテープ、養生テープなど）。ただし、下半身サポート部４０を構成するテープ材料と、上半身サポート部２０を構成するテープ材料とを異なるものを使用しても構わない。
【００７２】
また、本実施形態の下半身第１サポート部４１の幅、下半身第２サポート部４２の幅、および、下半身第３サポート部４３の幅は、それぞれ、例えば、５０ｍｍ以下のもの（好ましくは、２５ｍｍ〜１ｍｍ）にすることができ、上半身サポート部２０を構成するテープ材料の幅と同じ条件を利用することができる。ただし、下半身サポート部４０を構成するテープ材料の幅と、上半身サポート部２０を構成するテープ材料の幅とは、異なる条件（数値）のものを使用しても構わない。上半身サポート部２０を構成するテープ材料の説明と同様に、下半身サポート部４０においても、該当する筋肉の両サイド（起始部、停止部）を端部としてピンポイントで貼る方が効果があり、それら（４１、４２、４３）の幅は、広いものよりも細いもの（筋肉に対応した幅程度：例えば、１ｍｍ〜１０ｍｍ）の方が効果があった。これは、上半身サポート部２０と同様に、下半身サポート部４０を構成するテープ材料を、該当する筋肉にピンポイントで当てる方が、メリハリができ（力がぼけずに集中して）、筋肉の動きについてより確実なサポートになるものによると推測される。本願発明者の実験によると、下半身サポート部４０を構成するテープ材料が、養生テープの幅（５０ｍｍ）、その半分の幅（２５ｍｍ）、ピンポイントの幅（１０ｍｍ以下）の順に効果が高くなることが確認された。なお、テープ材料が幅５０ｍｍを超えると、筋肉への刺激（筋肉の活性化）がぼやけてしまうので、５０ｍｍ以下（好ましくは２５ｍｍ以下）が良いが、人によって適切な筋肉に適切にテープ材料を貼ることが難しいことがあるので、効果を少し犠牲にして５０ｍｍを超える幅またはそれに近い幅（例えば、５０ｍｍ〜１００ｍｍ）のもので広範囲にテープ材料を貼るような手法を採用する場合があり得る。
【００７３】
本実施形態の構成において、下半身第１サポート部４１の幅、下半身第２サポート部４２の幅、および、下半身第３サポート部４３の幅は、それぞれ、同じ幅（例えば、５ｍｍ、または、１０ｍｍなど）にすることができる。その場合、下半身サポート部４０を構成するテープ材料は共通のものを使用できる利点がある。また、下半身第１サポート部４１の幅、下半身第２サポート部４２の幅、および、下半身第３サポート部４３の幅は、同じものでなく、異なるものにしても構わない。下半身第１サポート部４１の幅、下半身第２サポート部４２の幅、および、下半身第３サポート部４３の幅を変えることにより、各筋肉の動きをより活性化出来る可能性があるとともに、デザインの要請から変更した方がいい場合があり得るからである。
【００７４】
また、人間の身体（骨格、筋肉）は基本的に左右対称であるので、下半身第１サポート部４１、下半身第２サポート部４２、および、下半身第３サポート部４３は、それぞれ、左右対称の形状に配置されている。ただし、現実には、右側と左側で筋肉の役割が違うことがあり（例えば、利き足が右利きの人は、右足で蹴る等の筋肉が発達している）、その点では、各個人にあわせて、右側と左側での筋肉の流れに沿って左右非対称になるように配置することが好ましい場合がある。加えて、左右の筋肉の位置の違い（各個人の微妙な違い）ではなく、デザインの要請などの理由から、左右対称でない配置にしたい場合があるときは、本実施形態における下半身サポート部４０が機能を発揮する範囲内において変更することが可能である。また、本実施形態における下半身サポート部４０は、該当する筋肉の両サイド（起始部または停止部）を端部とした下半身サポート部４０にすることが好ましいが、デザインの要請などの理由からその形状を変更したい場合、本実施形態における下半身サポート部４０が機能を発揮する範囲内において変更することが可能である。
【００７５】
図１４および図１５は、本実施形態に係るズボン２００における「サポートしている部分」を示す正面図および背面図である。図中の「斜線を施した部分」が「サポートしている部分」に対応している。具体的には、「サポートしている部分」（斜線を施した部分）は、下半身第１サポート部４１（大腰筋９０１）、下半身第２サポート部４２（腸骨筋９０２）、下半身第３サポート部４３（梨状筋９０５）に対応している。上述した説明では、下半身サポート部４０（４１、４２、４３）をテープ材料から構築したが、図１４及び図１５に示すような「サポートしている部分」の領域を形成できるのであれば、それに限
らない。例えば、ズボン２００を構成する下半身部３０の材質や織り方を変えることで、「サポートしている部分」の領域を形成することができる。このような場合、本実施形態の下半身サポート部４０は、下半身部３０を構成する素材と一体に構成することができる。また、下半身部３０を構成する素材の内部に、「サポートしている部分」をすることができる材料・部材を配置したりしてもよい。あるいは、「サポートしている部分」に該当する箇所に、ポケット等のような収納部を（下半身部３０の表面、内部、または裏面の箇所に）形成して、その収納部に、「サポート」している力（サポート力、または、テープ又は布が当たっているような感触を与える力）を発揮できるものを入れることにより、本実施形態の衣類（ズボン）２００を作製してもよい。加えて、図示したように「サポートしている部分」が形成されているのであれば、他の場所に、さらに「サポートしている部分」が形成されていても構わない。また、テープ材料を貼ることによって「サポートしている部分」を形成するときは、スポーツ用パンツ（サッカー用ハーフパンツ、テニス用ハーフパンツ、ゴルフパンツなど）だけでなく、スーツのパンツ（スラックス）、ジーンズパンツ（ジーパン）のようなパンツでも効果を発揮させることができる。
【００７６】
次に、図１６および図１７を参照しながら、本実施形態に係るシャツ１００及びパンツ２００を組み合わせた構成について説明する。図１６および図１７は、本実施形態に係るシャツ１００及びパンツ２００を組み合わせた構成を示す正面図および背面図である。使用者（着用者）５００は、上下一式の衣類３００を着用しており、すなわち、シャツ１００及びパンツ２００の両方を着用している。
【００７７】
図１６および図１７に示すように、本実施形態に係るシャツ１００及びパンツ２００（上下の衣類）を組み合わせると、図３（ａ）及び（ｃ）に示したように、大腰筋９０１に沿った箇所、腸骨筋９０２に沿った箇所、棘上筋９０３に沿った箇所、大円筋９０４に沿った箇所、および、梨状筋９０５に沿った箇所に対して、「サポートしている部分」を形成することができる。特に、図１６に示すように、上半身第１サポート部２１と下半身第１サポート部４１とが組み合わさり、その結果、大腰筋９０１に沿った箇所（全範囲にわたった範囲）に、テープ材料（または他の手段）によって「サポートしている部分」を形成することができる。
【００７８】
さらに、本実施形態に係るシャツ１００及びパンツ２００（上下の衣類）を組み合わせるだけでなく、上下の衣類が一体となった「つなぎ」の形態でもよい。図１８および図１９は、それぞれ、本実施形態に係る衣類（つなぎ）４００の正面構成および背面構成を示している。
【００７９】
本実施形態のつなぎ４００においては、上半身部１０は、下半身部（３０）を含めて一体の構成（上下衣類本体部）となっている。つなぎ４００の一部（背中など）において、着たり脱ぎやすいように、ボタンやファスナーなど設けたものにしてもよい。つなぎ４００は、工事現場のつなぎ、工場での作業（例えば、車整備など）用のつなぎの他、全身タイツ、サーフィンやスキューバーダイビングに使用するウエットスーツ、水着なども該当する。
【００８０】
図２０および図２１は、本実施形態に係るつなぎ４００における「サポートしている部分」を示す正面図および背面図である。図中の「斜線を施した部分」が「サポートしている部分」に対応している。この内容については、上述したものと重複するので簡明化のために説明を省略するが、上半身第１サポート部２１と下半身第１サポート部４１とが組み合わさった連続サポート部５０（上半身サポート部２０、下半身サポート部４０）をテープ材料から構築できる点、材質や織り方を変えることで、「サポートしている部分」の領域を形成することができる点などは上述した通りである。
【００８１】
さらに、図２２および図２３を参照しながら、本実施形態に係るパンツ（腹巻きパンツ）６００の構成について説明する。図２２および図２３は、本実施形態に係る腹巻きパンツ６００の構成を示す正面図および背面図である。
【００８２】
本実施形態の腹巻きパンツ６００では、下半身部３０の上端３１の方に、腹巻き部３９（ゴム部）が設けられている。そして、図２２に示すように、上述した実施形態における上半身第１サポート部２１と下半身第１サポート部４１と下半身第２サポート部４２とが組み合わさった連続サポート部５０が、腹巻きパンツ６００が形成されている。また、図２３に示すように、使用者の足５０１の上方（尻付近）には、梨状筋９０５に沿った箇所に位置する下半身第３サポート部４３（４３ａ、４３ｂ）が形成されている。本願発明者の実験によると、本実施形態の腹巻きパンツ６００を装着した被験者が３週間でウエストが自然に減少した結果が確認された（ウエスト１０ｃｍ減のダイエット効果の被験者あり）。
【００８３】
本実施形態の腹巻きパンツ６００を用いる場合は、図２４および図２５に示したシャツ１０１を組み合わせることができる。図２４および図２５は、それぞれ、本発明の実施形態に係る衣類（シャツ）１０１の正面構成および背面構成を示す斜視図である。本実施形態に係るシャツ１０１には、図８に示したシャツ１００のうち、大腰筋（９０１）の一部に沿った箇所に位置する上半身第１サポート部２１が形成されていない。本実施形態に係るシャツ１０１のその他の構成については、図８に示したシャツ１００と同様である。図２４に示したシャツ１０１には、上半身第１サポート部２１は形成されていないものの、それに対応する部分は図２２に示した腹巻きパンツ６００に形成されているので、両者を組み合わせれば補完されたものとなっている。
【００８４】
なお、本願発明者の実験によると、本実施形態のパンツ（２００又は６００）を着た方が下半身の運動が安定するものの、本実施形態のパンツ（２００又は６００）を着なくて、図２４および図２５に示したシャツ１０１を着て運動したときも、運動能力が向上することが確認された。これは、本実施形態のシャツ１０１には、棘上筋（９０３）に沿った箇所に位置する上半身第２サポート部２２と、大円筋（９０４）に沿った箇所に位置する
上半身第３サポート部２３とが形成されていることから、それらの筋肉（９０３、９０４）をサポートすることで活性化させて自然と任脈と督脈の経絡が自然と流れるようにすることができることに起因していると推測される。なお、本実施形態のシャツ１００とシャツ１０１とを比較した場合は、シャツ１００の方がバランスがよく好ましい（例えば、運動後の疲れがより出ないなどの違いが出る場合がある）。
＜実施例＞
次に、図２６から図２８、および、図２９から図３１を参照しながら、本発明の実施形態に係る衣類を用いた実施例（実験例・比較例）について説明する。
【００８５】
図２６は、本実施形態のシャツ１０１（図２４及び図２５に示したもの）を被験者に着せる前（比較例「前」）と着せた後（実施例「後」）の結果を示した表である。被験者は、Ｎｏ．１からＮｏ．１７の１７名である。本実施形態のシャツ１０１は、テープ材料を通常のＴシャツの裏側に貼ったものを作製し、それを実施例として使用した。使用したテープの幅は２５ｍｍである。具体的には、商品名「ブラックシリカひざ用サポーター」（株式会社ホロン製：品質表示材料は、綿、ナイロン、ポリウレタン）をテープ状に切ったものをテープ材料にして、それを所定箇所に貼り付けた。
【００８６】
図２６における「片足立ち」は、片足で立つことができた秒数を記入したものであり、６０秒を限度として計測したものである。
【００８７】
「前屈」は、前屈した時の角度（および前後の変化）を示している。「前屈」は、手で測定するよりも客観性を担保するために、株式会社シスナビア製の姿勢分析アプリ（Android版のスマートフォンアプリ）で画像撮影・解析した姿勢分析レポートにおける角度である。その姿勢分析レポートの一例（被験者Ｎｏ．１３）を図２７に示す。図２７の（ｅ−１）が「着用前」（比較例）の前屈の結果であり、（ｅ−２）が「着用後」（実施例）の前屈の結果である。なお、同様に（ａ−１）から（ｄ−１）が「着用前」（比較例）の結果であり、（ａ−２）から（ｄ−２）が「着用前」（比較例）の結果である。前屈の結果が柔軟性を説明するためにわかりやすいので、図２６の表に示しているが、他の項目（ａ−２）〜（ｄ−２）でも軸が真っ直ぐになり、柔軟性が向上している結果が見て取れる。
【００８８】
図２６における「腕相撲」は、同じくらいの体格・腕力の人がペアになって何秒で勝てたかの結果（前後で）を示している。「合気投げ」は、パートナーの人が両手で、被験者の両手を押さえた状態で、被験者がその抑えられた両手を上に持ち上げる動作の試験である。上がらない結果は「×」で、時間がかかって上がったものは「△」にしている。すぐに上がったものは「○」である。「○」の目安は５秒以内、△は１０〜２０秒である。他の項目も基本的にこれに準じている。
【００８９】
「起立」は、パートナーの人が両手で、椅子に座った被験者の肩を押さえた状態で、被験者がその抑えられた状態で立ち上がる動作の試験である。上がらない結果は「×」である。「腕ねじり」は、パートナーの人が被験者の腕をねじった状態で、被験者がそのねじられた状態を戻す動作の試験である。「介護」は、寝ている人を被験者が起こす動作（秒数）である。起こすことができなければ「×」である。
【００９０】
図２６における「活性度」「安定度」「快適度」「覚醒度」は、運動能力向上の数字でとらえきれない指数の項目（二次元気分尺度）である。この「二次元気分尺度」は、法政大学体育・スポーツセンター紀要 30,29-34(2012)の「スポーツ用コンプレッションウェアの着用が及ぼす心理効果」の論文（中澤 史（法政大学）他）によるものである。二次元気分尺度のアンケート（項目の計算式）は、図２８に示したものである。
【００９１】
図２６に示した実験結果において、「片足立ち」を見ると、Ｎｏ．５の被験者、Ｎｏ．１３の被験者の数値（秒数）が大きく向上している。（他の被験者は片足立ちが、ほぼ元からできていた。）なお、Ｎｏ．１１の被験者の数値が大きく落ち込んでいるが、これは笑ってしまって立てなかったものであり、本来はこの表から省くものであるが、実験結果として載せてあるものあるので無視してよいものである。
【００９２】
図２６に示した「前屈」では、前後の変化は、平均で５．５°も向上し、本実施形態のシャツ１０１の装着によって柔軟性の向上が確認された。Ｎｏ．１３は、装着するだけで１７°も前屈の数字が向上し、著しく柔軟性が上がった。これは図２７の（ｅ−１）と（ｅ−２）との比較からも、はっきりと見て取れる。運動・マッサージ・ストレッジなどせずに、本実施例のシャツ１０１を着ただけで、この違いは顕著なものである。
【００９３】
図２６に示した「腕相撲」でも、前後の変化は平均で６．３秒向上した。「起立」でも、前後の変化は平均で１．６秒向上した。「腕ねじり」でも、前後の変化で出来る人が増えた。
【００９４】
「介護」でも、前後の変化は平均で６．６秒も向上した。なお、「介護」のＮｏ．５およびＮｏ．１６の被験者は、シャツ１０１では上がらなかったために、ズボン２００を装着させて、上げることができたので「△」と表記した。
【００９５】
このように、被験者１７人の平均を見ただけでも、運動能力の向上がはっきりと確認された。そして、平均の数字でなく個別の被験者を見た場合は、著しく向上した人が散見された。
【００９６】
図２６における「活性度」「安定度」「快適度」「覚醒度」の結果（二次元気分尺度）を見ても、それぞれ、平均で、活性度：４．１点アップ、安定度：３．２点アップ、快適度：６．９点アップ、覚醒度：１．２点アップとなり、すべての項目で点数が向上した。したがって、二次元気分尺度でも、本実施例のシャツ１０１の効果が確認された。
【００９７】
次に、テニスにおける動作の向上の実験結果を図２９（ａ）から（ｃ）に示す。同じ被験者の番号（例えば、Ｎｏ．２１）は同一人物である。この実験においてはスポーツウエア（テニスウエア）に、テープ材料（幅５０ｍｍの養生テープ）を図３に示した筋肉９０１〜９０５の該当箇所に貼って、図１６及び図１７に示した衣服３００の状態にして試験を行った。
【００９８】
図２９（ａ）はフォアハンドの結果、図２９（ｂ）はバックハンドの結果、そして、図２９（ｃ）はサーブの結果を示してる。「比較」は、通常のスポーツウエアを着た結果であり、「装着」は、この実験においてはスポーツウエアに、テープ材料（幅５０ｍｍの養生テープ）を図３に示した筋肉９０１〜９０５の該当箇所に貼って、図１６及び図１７に示した衣服３００の状態にして試験を行ったものである。図２９（ａ）から（ｃ）において結果が特に良かったもの（セル）を、マークアップして示している。
【００９９】
図２９（ａ）はフォアハンドの結果は、平均値で、ボールの回転はほぼ同じだったものの、スイング速度は変化率で１０８．９（１０５．６キロ→１０８．９キロ）、そして、ボール速度は変化で１１０（１０４．１キロ→１１０キロ）という風に、約６キロもボール速度がアップした。６キロのボール速度を上げるには、トレーニングしたり、フォームを改善したりする必要があるが、本実施形態のシャツ１００を着ただけで、この成果は顕著なものである。特に、トップアマ・プロのレベルになれば、シャツ１００（場合によっては、ズボン２００）を着ただけで、ボール速度が上がる利点は計り知れない。特に、このような速度アップはプロレベルであればトッププロになれるかどうかの違いになり、別の種目の野球ではドラフト候補レベルであればドラフトでプロになれるかどうかの差につながり、プロ野球であればトッププロになれるかどうかの差につながる大きなものである。
【０１００】
図２９（ｂ）はバックハンドの結果でも、平均値でみても、スイング速度は変化率で１０３．７（８５．３キロ→８８．４キロ）、そして、ボール速度は変化率で１０４．５（９２．４キロ→９６．５キロ）とアップした。
【０１０１】
図２９（ｃ）のサーブの結果については大きな変化はなかったが、これはサーブは相手のコートに入れる必要があったために、柔軟性や運動能力が向上しても、数字には反映されにくかったためと推測される。
【０１０２】
図３０および図３１は、それぞれ、本実施形態のシャツ１００およびズボン２００を着る前、および、着た後のテニスをした結果（フォアハンドストローク４人の平均値）である。具体的には、図３１に示した結果は、図３０で行ったときのスポーツウエアに、テープ材料（幅５０ｍｍの養生テープ）を図３に示した筋肉９０１〜９０５の該当箇所に貼って、図１６及び図１７に示した衣服３００の状態にして試験を行ったものである。両図の（ａ）はボール回転、（ｂ）はスイング速度、（ｃ）はボール速度を表している。計測は、ソニー（株）製のテニススマートセンサーを用いて行った。図２９の試験結果も同様である。
【０１０３】
両図（比較例・実験例）をみてわかるとおり、ボール回転数は＋４．５（なお、スライスはマイナスの数字）から＋４．８に上がり、スイングスピードは１０８キロから１１４キロに上がり、そして、ボール速度は９９キロから１１１キロに上がった。すべての項目で顕著な効果が確認された。特に、本実施形態の衣類（１００及び２００）を着ただけで、ボール速度が１０キロ以上アップするのは脅威である。そして、この実験で、一番ボール速度の変化がでた人は、９８キロ→１２４キロ（１２７％）であった。
【０１０４】
以上、本実施形態の構成および実施例について説明してきた。以上の説明から理解できるように、本実施形態の衣類（シャツ）１００によれば、上半身の少なくとも一部を被覆する上半身部１０に上半身サポート部２０が形成されており、上半身サポート部２０は、大腰筋（９０１）の少なくとも一部に沿った箇所に位置する上半身第１サポート部２１と、棘上筋（９０３）に沿った箇所に位置する上半身第２サポート部２２と、大円筋（９０４）に沿った箇所に位置する上半身第３サポート部とを含んでいるので、筋肉をサポートすることで活性化させて自然と任脈と督脈の経絡が自然と流れるようにすることができる。その結果、スポーツ時、運搬時、介護される状態の時などにおいて、着用者の筋肉（または、筋肉や関節等を含めた全体）をサポートして運動能力や柔軟性を向上させることができる。
【０１０５】
加えて、本実施形態の衣類（ズボン）２００によれば、下半身の少なくとも一部を被覆する下半身部３０に下半身サポート部４０が形成されており、下半身サポート部４０は、大腰筋（９０１）の少なくとも一部に沿った箇所に位置する下半身第１サポート部４１と、腸骨筋（９０２）に沿った箇所に位置する下半身第２サポート部４２と、梨状筋（９０５）に沿った箇所に位置する下半身第３サポート部とを含む衣類（下半身衣服）と組み合わせることにより、上半身と同様に下半身においても、筋肉をサポートして活性化させて自然と任脈と督脈の経絡が自然と流れるようにすることができる。また、梨状筋の箇所に位置する下半身第３サポート部によって、上下・前後のバランスが取りやすくすることができる。
【０１０６】
上述した実施形態のシャツ１００では、図３に示すように上半身第２サポート部２２（２２ａ、２２ｂ）は、やや上に延びるように配置されている。これは、シャツ１００が身体に比較的ピッタリとしたものであるときは、棘上筋（９０３）が延びる方向に沿ってそのようになるが、シャツ１００が身体に少し緩めに（ダブッと）なっているものであるときは、棘上筋（９０３）に沿ってシャツ１００に上半身第２サポート部２２（２２ａ、２２ｂ）を沿うように配置して、シャツ１００を脱ぐと、図３に示した上半身第２サポート部２２（２２ａ、２２ｂ）の配置（延長）と少し異なる場合がある。また、図４（ａ）に示すように、棘上筋（９０３）にも幅があるので、棘上筋（９０３）の沿った範囲におけるどのラインに上半身第２サポート部２２（２２ａ、２２ｂ）は配置させるかによっても、上半身第２サポート部２２（２２ａ、２２ｂ）の配置は、図３に示したものと比べて変化する場合がある。これは、上半身第３サポート部２３（２３ａ、２３ｂ）についても同様であり（そして、大円筋（９０４）にも幅があるので、どのラインに上半身第３サポート部２３（２３ａ、２３ｂ）は配置させるかによっても）、図３に示した上半身第３サポート部２３（２３ａ、２３ｂ）の配置（延長）と少し異なる場合がある。
【０１０７】
図３２および図３３は、本実施形態のシャツ１００の一例であり、それぞれ、上述の実施形態における図９および図１１に対応する。図示されたシャツ１００では、上半身第２サポート部２２（２２ａ、２２ｂ）はやや平行に延びており、上半身第３サポート部２３（２３ａ、２３ｂ）はやや下向きに延びている。シャツ１００がもっとゆったりしている等のときには、シャツ１００を脱いで平面状態にしたときにおいて、上半身第２サポート部２２（２２ａ、２２ｂ）がやや下向きに延びているようになる場合がある。また、シャツ１００がゆったりしている等のときには、上半身第３サポート部２３（２３ａ、２３ｂ）がやや平行に延びているとき（場合によっては僅かに上向きに延びている）もある。これらの配置は、棘上筋（９０３）および大円筋（９０４）に沿うような形で、上半身第２サポート部２２（２２ａ、２２ｂ）および上半身第３サポート部２３（２３ａ、２３ｂ）の配置を決めた後に、シャツ１００単体の構成で、上半身第２サポート部２２および上半身第３サポート部２３を見たときに図３２および図３３に示したような構成例となる。なお、本実施形態のシャツ（１００、１０１、１０２）は、シャツ本体の内側にサポート部（２１、２２、２３）を配置するときには、比較的緩いシャツの方が接触刺激による本実施形態の効果がでやすい傾向がある。
【０１０８】
図３４は、本実施形態に係るシャツの改変例１０２を示している。図３４は、上述の実施形態における図１０に対応しており、また、本実施形態のシャツ１０２の背面構成は、図１１または図３３に示したものになる。
【０１０９】
図３４に示したシャツ１０２では、上半身第１サポート部２１（２１ａ、２１ｂ）に加えて、追加の上半身サポート部２１ｅ（または、上半身第４サポート部）が形成されている。追加の上半身サポート部２１ｅ（上半身第４サポート部）は、みぞおちの箇所（２１ｆ）を基準にしながら左の肋骨の位置に向かって移動させた点を開始点として、そこから丹田の箇所（２１ｇ）に延びるように配置されている。丹田（２１ｇ）は、だいたい、ヘソから指三本下のところにある。追加の上半身サポート部２１ｅが延びる角度（傾斜して延びる角度）は、鉛直方向を基準にして、２０°〜２５°（一例では、約２３°（２３．４°））である。
【０１１０】
追加の上半身サポート部２１ｅ（上半身第４サポート部）を形成することにより、身体の回転が大きくなる。本実施形態のシャツ１０２を着ていないとき（比較例）と比較して、本実施形態のシャツ１０２を着たときは、水平方向における身体の回転は、左右それぞれ１０〜２０°増える（左右のそれぞれの増加角度を足すと、２０°〜４０°増える）。この増加角度は、複数の被験者の平均値である。追加の上半身サポート部２１ｅ（上半身第４サポート部）を形成すると、水平方向における回転の角度が増加するので、ゴルフを行うのに向いている。なお、ゴルフで本実施形態のシャツ１０２を使用するときは回転量が増加するので、下半身を安定させるために、本実施形態のズボン２００を装着しておくことが好ましい。
【０１１１】
本実施形態のシャツ１０２およびズボン２００を装着した場合のゴルフの試験結果を図３５に示す。この試験は６人の被験者が行った（Ｎｏ．３１〜Ｎｏ．３６）。比較例は、シャツ１０２およびズボン２００を装着せずにゴルフスイングを行った結果であり、一方、実施例は、シャツ１０２およびズボン２００を装着してゴルフスイングを行った結果である。試験の場所は、ゴルフ練習場であり、使用クラブはアイアンである。飛距離および左右のブレは目測で行い、図中（表中）の左１０は、左方向に１０メートル曲がったことを表している。なお、備考は、被験者の感想を記載している。
【０１１２】
被験者６人（Ｎｏ．３１〜Ｎｏ．３６）とも飛距離は伸びた。そして、実験結果（および被験者の感想）としては、スイングスピードアップの飛距離の増加もさることながら、左右のブレが少なくなってスイング・ショットが安定したことの効果が大きいことがわかった。また、スイングの力みがなくなり、安心してショットできる（力みがなくなる、軽く打てる、どっしりする）という感想が多かった。また、被験者の感想だけでなく、実験結果を見ても、比較例と比較して実施例で「センター」の割合が増加した。
【０１１３】
本実施形態のシャツ１０２（および下半身安定のためのズボン２００）を装着することにより、上述した実施形態のシャツ１００（図１０など）の効果に加えて、水平方向における身体の回転角度（肩が回る角度）を大きくすることができる。言い換えると、追加の上半身サポート部２１ｅ（上半身第４サポート部）を形成することにより、身体の回転が大きくなり、スイング能力（例えば、ゴルフのスイング）を向上させることができる。
【０１１４】
本実施形態の衣類１００（１０１、１０２、２００、３００、４００、５００、６００等）において、テープ素材として、感熱性接着剤付きのテープ（布テープ）を用いる場合、図３６に示すようなテープ製品８００を用いることができる。テープ製品８００は、布部（テープ部）８１０と、それを巻き付けるコア部（巻き取り中心部）８２０から構成されている。本実施形態の布部（テープ部）８１０は、綿（例えば、綿４０スムース）であるが、他の布素材（または、テープ素材）であってもよい。布部（テープ部）８１０の幅は、１０ｍｍから３０ｍｍ（この例では、２０ｍｍ±５ｍｍ）である。布部（テープ部）８１０の第１面（表面）８１１は布素材（例えば、綿）が露出しており、第２面（裏面）８１２は、感熱性接着剤が塗布されている。感熱性接着剤は、アイロンで接着剤になるものであり、アイロン（例えば１４０〜１６０℃：ドライ）で約１５〜２０秒熱を加えるだけで接着（貼付）することができる。感熱性接着剤は、例えば、水性シリル化ウレタン樹脂系接着剤などであるが、特に限定されるものではない。
【０１１５】
以上、本発明を好適な実施形態により説明してきたが、こうした記述は限定事項ではなく、勿論、種々の改変が可能である。上述した実施形態または改変例の構成または手法は相互に適用可能である。例えば、本実施形態のシャツ１００（１０１）の構成において、介護の時は、着せ替え／着替えの問題があるので、前が開くようにしてボタンやファスナーをつけた形態にしてもよい。また、主に、シャツについてはＴシャツの形態を説明したが、ゴルフでは基本的に襟付きのものが必要であるので、襟付きのシャツとして構成することが好ましい。また、梨状筋（９０５）に沿った箇所に位置する下半身第３サポート部４３は、引力によって引っ張られる感覚が強くなってしまうことを緩和するものであるので、その違和感を気にしないでいいのであれば、下半身第３サポート部４３を取ることも可能である。また、身体に直接テープを貼ることを否定するものではないが、本実施形態の衣類（１００、１０１、１０２、２００、３００、４００、５００、６００など）の方が便利である。なお、本願発明者が試したところによると、身体に直接テープを貼った場合は、本実施形態の衣類を着る場合と比較して効果が軽減（例えば、半減）する。加えて、上述の実施形態では、スポーツ（テニス等）の例を多く示したが、スポーツ以外にも、運搬作業時に運搬が軽く（楽に）なる点、介護の時に介護される側も介護する側も楽になるという利点もある。
【産業上の利用可能性】
【０１１６】
本発明によれば、スポーツ時、運搬時、介護される状態の時などにおいて、着用者の筋肉や関節等をサポートして運動能力や柔軟性を向上させることができる衣類を提供することができる。
【符号の説明】
【０１１７】
１０   上半身部
１１   襟部
１２   袖部
１５   胴体部
１５ａ 前身頃
１５ｂ 後身頃
１９   下端
２０   上半身サポート部
２１   上半身第１サポート部
２１ｅ 追加の上半身サポート部(上半身第４サポート部)
２２   上半身第２サポート部
２３   上半身第３サポート部
３１   ウエスト部
３２   開口
３５   股上部
３５ａ 前身頃
３５ｂ 後身頃
３６   股下部
３９   腹巻き部
４０   下半身サポート部
４１   下半身第１サポート部
４２   下半身第２サポート部
４３   下半身第３サポート部
５０   連続サポート部
１００ シャツ（Ｔシャツ）
１０１ シャツ
１０２ シャツ
２００ ズボン（パンツ）
４００  つなぎ
６００ 腹巻パンツ
８１０  布部（テープ部）
８００  テープ製品
９０１ 大腰筋
９０２ 腸骨筋
９０３ 棘上筋
９０４ 大円筋
９０５ 梨状筋
１０００ 運動用衣類
【図１】
2019112755.tif 000003
【図２】
2019112755.tif 000004
【図３】
2019112755.tif 000005
【図４】
2019112755.tif 000006
【図５】
2019112755.tif 000007
【図６】
2019112755.tif 000008
【図７】
2019112755.tif 000009
【図８】
2019112755.tif 000010
【図９】
2019112755.tif 000011
【図１０】
2019112755.tif 000012
【図１１】
2019112755.tif 000013
【図１２】
2019112755.tif 000014
【図１３】
2019112755.tif 000015
【図１４】
2019112755.tif 000016
【図１５】
2019112755.tif 000017
【図１６】
2019112755.tif 000018
【図１７】
2019112755.tif 000019
【図１８】
2019112755.tif 000020
【図１９】
2019112755.tif 000021
【図２０】
2019112755.tif 000022
【図２１】
2019112755.tif 000023
【図２２】
2019112755.tif 000024
【図２３】
2019112755.tif 000025
【図２４】
2019112755.tif 000026
【図２５】
2019112755.tif 000027
【図２６】
2019112755.tif 000028
【図２７】
2019112755.tif 000029
【図２８】
2019112755.tif 000030
【図２９】
2019112755.tif 000031
【図３０】
2019112755.tif 000032
【図３１】
2019112755.tif 000033
【図３２】
2019112755.tif 000034
【図３３】
2019112755.tif 000035
【図３４】
2019112755.tif 000036
【図３５】
2019112755.tif 000037
【図３６】
2019112755.tif 000038